(57)【要約】【課題】自動ラッチングと扉の扉枠への押付操作の２つの操作が行える扉装置を提供することである。【解決手段】扉３の戸先側上下部分に回動可能に設けた係止部材３２と、扉枠２に係止部材３２と対応し扉３に向けて突出するように設けたフック部材３１とから、扉閉鎖装置３０を構成する。係止部材３２には、フック部材３１を係止する係止凹部３２ａが形成され、係止凹部３２ａは、フック部材３１を押し出す解除カム面３２ｂと、フック部材３１を移動する押付カム面３２ｃとを備えている。扉３の通常閉鎖の際にはフック部材３１が係止部材３２に係止して扉３を自動ラッチングし、その状態で連続して係止部材３２を回動すると押付カム面３２ｃによるフック部材３１の移動により扉３が扉枠２に押しつけられる。【選択図】　図５
2004036293.tif 000002
【特許請求の範囲】
【請求項１】
扉枠に開閉自在に蝶着した扉の戸先上下部とこれと対応する扉枠との間に扉閉鎖装置を介在し、扉の戸先に設けた上下方向の作動ロッドを介して前記扉開閉装置を操作するようにした扉装置において、前記作動ロッドを上下方向軸線周りに回動するように設け、扉閉鎖装置を、扉枠に扉側に突出するように付勢して設けたフック部材と、そのフック部材と扉の通常閉鎖により係止すると共に、係止したフック部材を介して扉を扉枠に押し付ける押し付け状態とする係止部材とから構成し、前記作動ロッドの回動により前記係止部材が回動し、係止部材とフック部材の係止を解除すると共に、フック部材を介して扉を扉枠に押し付ける押し付け状態とするように、作動ロッドの上下部と扉閉鎖装置とを連繋したことを特徴とする扉装置。
【請求項２】
係止部材のフック部材と対向する側には、フック部材が係止する係止凹部が形成され、係止凹部は、その回動方向の一方側に係止部材の厚さ方向に傾斜し、作動ロッドが一方に回転したときにフック部材を押し出してフック部材と係止部材との係止を解除する解除カム面を備え、係止部材の回動方向他方側に係止部材の回動方向他方側に向うにつれて係止部材の回転中心からの距離が短くなり、フック部材と係止部材との係止状態において、作動ロッドが他方に回転したときに、フック部材を係止部材の回転中心に向けて移動して扉を扉枠に押し付ける径方向外側内周面に形成された押付カム面とを備えたことを特徴とする請求項２記載の扉装置。
【請求項３】
作動ロッドは、中空パイプであることを特徴とする請求項１または２記載の扉装置。
【請求項４】
作動ロッドは、扉に設けた操作手段のケース内に挿通されており、その操作手段はケースと支持軸とカム体と作動カムと押し引きハンドルとから構成され、作動ロッドのケース内部分にはカム係合溝が設けられており、このカム係合溝に、ケースに作動ロッドと平行に設けられた支持軸に一端が回動自在に支持されたカム体の他端先端に設けられた作動カムを係合し、そのカム係合溝と作動カムとの係合部分から支持軸までの距離をカム係合溝と作動カムとの係合部分から作動ロッドまでの距離より長く設定し、カム体の他端に連結され扉の見込み方向両側に位置する押し引きハンドルの見込み方向への押し引きにより、作動ロッドの回動角度が押し引きハンドルの揺動角度より大きくなることを特徴とする請求項１〜３何れか１項記載の扉装置。
【発明の詳細な説明】
【０００１】
【発明の属する技術分野】
この発明は、扉の戸先上下部分とこれに対応する扉枠間に介在した扉開閉装置を、扉の戸先に設けた上下方向の作動ロッドを介して操作するようにした扉装置に関する。
【０００２】
【従来の技術】
上記の扉装置として、▲１▼特開２００１−１３２３０４号や特開２００１−３１７２４１号等に開示のグレモン装置が知られている。これらは、扉の戸先部分に上下方向に夫々伸びる上、下作動ロッドを備えている。上作動ロッドの下端と下作動ロッドの上端は操作手段（ハンドル）に連繋されており、操作手段を操作することで上作動ロッドは上枠へ向けて、下作動ロッドは下枠へ向けて扉から突出するようになっている。また、扉枠の上、下枠には、上、下作動ロッドと対応する位置に夫々上作動ロッドの上端と下作動ロッドの下端が係合する上、下受金（係止部材）が設置されており、上、下受金と上、下作動ロッドとから扉閉鎖装置が構成されている。操作手段を操作すると上、下作動ロッドと上、下受金の係合が解除されている解除位置から、上、下作動ロッドと上、下受金とが係合する締付位置に移動し、作動ロッドの上端が上受金に、下作動ロッドの下端が下受金に夫々嵌入し、扉を扉枠に向けて押付状態で閉鎖位置に錠止することができる。
【０００３】
また、▲２▼特開平９−２７３３４５号や特開平１０−１４０９０６号や特開２００２−３０８３４号等が公知である。これらは、扉の戸先部分に上下方向の作動ロッドを回動可能に軸支してあり、作動ロッドの上、下端部に設けられたフック部材が、扉枠のキャッチャーや係止ピン等の係止部材に係止するようになっている。更に、特開平９−２７３３４５号や特開平１０−１４０９０６号等では、フック部材がばねにより係止部材に向けて係合する方向に付勢されておおり、扉を閉じる際にフックが係止部材に自動的に掛け止めされ、操作手段を操作することなく扉を閉鎖状態とする自動ラッチングが行われるようになっている。
【０００４】
【発明が解決しようとする課題】
前記従来の▲１▼では、扉を閉じるときには、手により扉を閉鎖位置で保持した状態で操作手段を操作し、作動ロッドを上下に移動させ、上、下作動ロッドの先端を夫々上、下受金に係合し扉を扉枠に圧接させて扉の閉鎖を完了する。このように▲１▼では、手動により作動ロッドと受金の係合により扉を扉枠に押し当てて扉を閉鎖する単一機能しか備えておらず、扉を閉じた際に、扉が自動で扉枠に保持されず、扉を扉枠に保持するためには必ず操作手段を手動で操作して作動ロッドを受金に係合しなければならなかった。また、▲１▼では扉を開閉する際に、作動ロッドが上下の往復運動をするために大きな摺動摩擦を伴うため大きな操作力を必要としていた。
【０００５】
また、▲２▼では、作動ロッドを回転して扉閉鎖装置を操作するようになっているが、特開平１０−１４０９０６号や特開２００２−３０８３４号等では、扉の作動ロッド上、下端のフック部材が扉から扉枠に向けて突出しているため、扉からフック部材が見え、人が出入りするための出入口用の扉としては、外観性を損ない意匠上好ましくなかった。また、特開平９−２７３３４５号では、フック部材が扉から突出することなく扉内に位置しているが、扉枠から上下方向に突出する係止ピンと、フック部材とが係合するためには、図１４、図１５に示すように扉３の天板３ｃに扉３を閉じた際に係止ピン５０が通過するための切欠部分５１が必要であり、この切欠部分５１のために、扉３を閉じた際に、扉３には扉枠２に設けた気密材である戸当りゴム（パッキン部材）２３と隙間ができ、その切欠部分５１の隙間により扉３で区切られた空間が連通され、扉３の気密性を低くしていた。更に、特開平９−２７３３４５号では、自動ラッチングが行われるのみであり、扉を扉枠に強く押しつけることができなかった。また、特開平１０−１４０９０６号では、自動ラッチング後、更に扉を押しつけて密閉できるようになっているが、ばねによりフック部材を付勢して、扉を密閉するため、扉の押付力が弱い恐れたあった。そして、▲２▼では、扉にフック部材や作動ロッドや作動ロッドを付勢するばね等の扉閉鎖装置を構成する可動部品が設けれらているので、そのために取手やハンドル等の操作手段を操作するときの抵抗となり、操作手段の操作を重くしていた。
本願の課題は、自動ラッチングと扉の扉枠への押付操作の２つの操作が連続して行え、押付操作及び押付操作解除の際には小さな力で操作でき、意匠的に優れた扉装置を提供することである。
【０００６】
【課題を解決するための手段】
前記課題解決のため本願発明では、扉枠に開閉自在に蝶着した扉の戸先上下部とこれと対応する扉枠との間に扉閉鎖装置を介在し、扉の戸先に設けた上下方向の作動ロッドを介して前記扉開閉装置を操作するようにした扉装置において、前記作動ロッドを上下方向軸線周りに回動するように設け、扉閉鎖装置を、扉枠に扉側に突出するように付勢して設けたフック部材と、そのフック部材と扉の通常閉鎖により係止すると共に、係止したフック部材を介して扉を扉枠に押し付ける押し付け状態とする係止部材とから構成し、前記作動ロッドの回動により前記係止部材が回動し、係止部材とフック部材の係止を解除すると共に、フック部材を介して扉を扉枠に押し付ける押し付け状態とするように、作動ロッドの上下部と扉閉鎖装置とを連繋したことを特徴とする（請求項１）。これによれば、フック部材と係止部材とによって、扉の自動ラッチングと扉の扉枠への押し付けが行える。また、フック部材を扉枠に設け、扉に設けた作動ロッドの回動によってフック部材を操作できるので摺動摩擦が小さく、作動ロッドにフック部材や自動ラッチングのためのばねを備えていないので、操作手段を軽く作動することができる。好ましくは、扉枠側に設けられたフック部材は、扉枠の開口縁部より飛出さないようにすれば、外観が良くなりデザイン性に優れる。
【０００７】
係止部材のフック部材と対向する側には、フック部材が係止する係止凹部が形成され、係止凹部は、その回動方向の一方側に係止部材の厚さ方向に傾斜し、作動ロッドが一方に回転したときにフック部材を押し出してフック部材と係止部材との係止を解除する解除カム面を備え、係止部材の回動方向他方側に係止部材の回動方向他方側に向うにつれて係止部材の回転中心からの距離が短くなり、フック部材と係止部材との係止状態において、作動ロッドが他方に回転したときに、フック部材を係止部材の回転中心に向けて移動して扉を扉枠に押し付ける径方向外側内周面に形成された押付カム面とを備えたことを特徴とする（請求項２）。このように係止部材には解除カム面と押付カム面とを設けてあるので、自動ラッチングから連続して開放または扉の扉枠への引寄せ（押し付け）、引寄せから開放が行え、連続した操作ができて好ましい。
【０００８】
作動ロッドは、中空パイプであることを特徴とする（請求項３）。作動ロッドとして中空パイプを用いれば、戸先荷重を軽減できる。
【０００９】
作動ロッドは、扉に設けた操作手段のケース内に挿通されており、その操作手段はケースと支持軸とカム体と作動カムと押し引きハンドルとから構成され、作動ロッドのケース内部分にはカム係合溝が設けられており、このカム係合溝に、ケースに作動ロッドと平行に設けられた支持軸に一端が回動自在に支持されたカム体の他端先端に設けられた作動カムを係合し、そのカム係合溝と作動カムとの係合部分から支持軸までの距離をカム係合溝と作動カムとの係合部分から作動ロッドまでの距離より長く設定し、カム体の他端に連結され扉の見込み方向両側に位置する押し引きハンドルの見込み方向への押し引きにより、作動ロッドの回動角度が押し引きハンドルの揺動角度より大きくなることを特徴とする（請求項４）。これによれば、押し引きハンドルを扉の開閉方向へ押し引きすることで扉の開閉及び扉枠への引寄せを行えるので、ハンドルを扉面に対して垂直な軸線周りに回転さることが困難な者（例えば手の不自由な者や握力が低下した老人等）にとっても、操作が非常にしやすい。また、押し引きハンドルの回動角度より作動ロッドの回動角度が大きいので、小さな操作で扉の開閉と引寄せが行え好適である。
【００１０】
【発明の実施の形態】
本願発明の実施の形態について図１〜図１２に基づいて説明する。図１に示す扉装置１は、扉枠２と、扉枠２に開閉自在に蝶着した扉３と、扉３と扉枠２との間に介在した扉閉鎖装置３０とから成り、扉閉鎖装置３０を、扉３に設けた操作手段４の押し引きハンドル５を操作することにより作動ロッド３９を介して解除し、また、その押し引きハンドル５の操作により作動ロッド３９を介して前記扉閉鎖装置３０により扉３を扉枠２に押付状態（引寄せ状態）とするものである。扉閉鎖装置３０は、扉３の戸先部分の上下部とこれと対応する扉枠２との間に設けてあり、図５のように扉枠２を枠組みする上枠２ｂと下枠２ｃとに回動自在に支持されたフック部材３１と、扉３の戸先上下部に夫々回動可能に設けられた係止部材３２とから成り、扉３の通常閉鎖により係止部材３２がフック部材３１と係合するようになっている。
【００１１】
戸先上下部の扉閉鎖装置３０は同一構成であるので戸先上部の扉閉鎖装置３０により説明する。フック部材３１は、図５に示すように、フックケース４１内に設けられており、そのフックケース４１は上枠２ｂに配設されている。フック部材３１は、その後端が上枠２ｂ長手方向に架設された軸４２に枢着されて回動自在に支持されている。フック部材３１は、ばね受部４３が形成されており、軸４２に外嵌されたばね部材３３の一端がばね受部４３に当接し、ばね部材３３の他端がフックケース４１に当接し、ばね部材３３によってフック部材３１が扉３の開扉方向に付勢され、フック部材３１の先端３１ａが扉３側（下側）に突出している。フック部材３１の先端３１ａの突出量は、扉開放状態であっても、上枠２ｂの開口側に設けてある戸当り部分４４の下縁（開口縁部）より突出しないように設定されて内側に位置しており、外観を損なわないようになっている。
【００１２】
扉３の戸先部分の上下方向中間に取り付けられたケース３４の下板３４ａには、図２、図３に示すように、前記フック部材３１の回動軸線と直角に支持軸３５が設けられている。その支持軸３５に押し引きハンドル５を取り付けるカム体３６の一端が揺動自在に支持されている。そのカム体３６の他端部分には押し引きハンドル５が連結されており、扉３の見込み方向両側に位置している。押し引きハンドル５は、見込み方向への押し引きにより、支持軸３５を揺動中心として中立位置Ａとその両側で所定角度揺動した２つの揺動端位置Ｂ，Ｃとに揺動する。カム体３６の上面には位置決め部材３７が設置してある。その位置決め部材３７には複数の切欠溝３７ａ，３７ｂが形成してある。そして、ケース３４にはプランジャ３８が取り付けてあり、前記一方の溝３７ａに嵌まり込むと、カム体３６を介して押し引きハンドル５が中立位置Ａに弾性的に保持される｛図４（ａ）｝。もう一方の溝３７ｂに嵌まり込むと、カム体３６を介して押し引きハンドル５が他方の揺動端位置Ｃに弾性的に保持される｛図４（ｃ）｝。
【００１３】
扉３の戸先部分には、上下方向の作動ロッド３９が設けられており、この作動ロッド３９は中空パイプであり、扉３の戸先荷重を軽減している。作動ロッド３９は、図２のように、ケース３４に回動自在に挿通されており、作動ロッド３９のケース内部分にはカム係合溝３９ａが形成されたカム係合部材３９ｂが一体に外嵌されている。そのカム係合溝３９ａに係合する動作カム４０がカム体３６の他端上部先端に設けられている。押し引きハンドル５を中立位置Ａから一方の揺動端位置Ｂに揺動させた場合では、動作カム４０によって作動ロッド３９は図４（ｂ）に示すように反時計回りに回転する。次に、押し引きハンドル５を中立位置Ａから他方の揺動端位置Ｃに揺動させた場合では、動作カム４０によって作動ロッド３９は図４（ｃ）に示すように前記と逆方向に時計回りに回転する。この押し引きハンドル５の操作時には、カム係合溝３９ａと作動カム４０との係合部分から支持軸３５までの距離は、カム係合溝３９ａと作動カム４０との係合部分から作動ロッド３９までの距離より長く設定されているので、作動ロッド３９の回動角度が押し引きハンドル５の揺動角度より大きく回動する。この作動ロッド３９の先端には係止部材３２が取り付けてある。このことにより、押し引きハンドル５の操作により、係止部材３２をフック部材３１の回動軸線と直交する軸線回りに回動させることができる。
【００１４】
図６、図７に示すように、係止部材３２のフック側面には、フック部材３１が係止する係止凹部３２ａが形成されている。係止凹部３２ａは、押し引きハンドル５の操作で係止部材３２が図６において右回転した時にフック部材３１を押し出してフック部材３１と係止部材３２との係合を解除する解除カム面３２ｂと、フック部材３１と係止凹部３２ａとの係合状態において押し引きハンドル５の操作で係止部材３２が前記と逆に左回転した時に、フック部材３１を介して扉３を扉枠２ｂに押し付ける押付カム面３２ｃとを備えている。解除カム面３２ｂは、図６、図７において、係止凹部３２ａの一方側に形成され、係止凹部３２ａ底面から連続してフック部材３１側に向けて（係止部材３２の厚さ方向に）反時計回りの上り勾配に傾斜している。押付カム面３２ｃは、図６において、係止凹部３２ａの径方向外側内周面の他方側に形成され、時計回り方向に向うにつれて係止部材３２の回転中心からの距離が短くなるようになっている。前記係止部材３２と作動ロッド３９との取り付け位置関係は、押し引きハンドル５が一方の揺動端位置Ｂに揺動する場合には、係止部材３２が回転して解除カム面３２ｂがフック部材３１を押し出す押し出し角度位置Ｄに揺動するようにしてあり、押し引きハンドル５が他方の揺動端位置Ｃに揺動する場合には、係止部材３２が回転して押付カム面３２ｃがフック部材３１を介して扉３を扉枠２に押し付ける押し付け角度位置Ｅに揺動するようにしてある。
【００１５】
前記扉閉鎖装置３０を備えた扉装置１の動作について説明する。扉３が扉枠２から開放されている時には、上枠２ｂのフック部材３１はバネ部材３３によって先端３１ａが扉３側に突出している。扉３に設けた押し引きハンドル５は、プランジャ３８によって中立位置Ａに保持されている。この状態において、扉３を閉鎖回転させる。図８に示すように、扉３が閉鎖位置に近づくと、扉３の端面３ｂ及び係止部材３２によって、フック部材３１が上枠２ｂ内側に押し上げられる。その後、図５に示すように、扉３が閉鎖位置に移動すると、押し上げられていたフック部材３１がバネ部材３３によって扉３側（下側）に突出し、フック部材３１の先端３１ａが係止部材３２の係止凹部３２ａに係合することで、扉３の通常閉鎖が行われる。このように扉３の通常閉鎖時には、押し引きハンドル５を操作すること無くフック部材３１と係止部材３２とにより、扉３を自動ラッチングできる。
【００１６】
次に、扉３の通常閉鎖状態から扉３を開放させる場合について説明する。図９に示すように、中立位置Ａにある押し引きハンドル５を一方の揺動端位置Ｂに揺動することで、カム体３６を回動させる。カム体３６の回動により、作動ロッド３９を介して係止部材３２を押し出し角度位置Ｄに回転させる。すると、係止部材３２の解除カム面３２ｂによってフック部材３１が上枠２ｂに向けて押し上げられ、フック部材３１と係止部材３２との係合が解除される。その後、一方の揺動端位置Ｂにある押し引きハンドル５を、扉３の開扉方向に引く（押す）ことで、扉３を開放させることができる。
【００１７】
次に、扉３の通常閉鎖状態から扉３を扉枠２に押し付ける場合について説明する。図１１に示すように、中立位置Ａにある押し引きハンドル５を他方の揺動端位置Ｃに揺動することで、カム体３６を回動させる。カム体３６の回動により、作動ロッド３９を介して係止部材３２を押し付け角度位置Ｅに回転させる。すると、係止部材３２が、扉３を扉枠２に設けたパッキン部材２３を押し付けるようにフック部材３１に対して移動する。係止部材３２はプランジャ３８によってその位置Ｅに保持されるので、扉３を扉枠２に押付状態とすることができる。この扉３の扉枠２への押付時には、作動ロッド３９の回転によって係止部材３２がフック部材３１を押圧するので、扉３を強く扉枠２に押し付けることができて密閉性が高く、従来のグレモン装置のように作動ロッドの上下動により扉を押し付けるものに比べ摺動摩擦が小さく、大きな操作力を必要としない。また、扉３の押付状態から扉３を開放する場合には、押し引きハンドル５を他方の揺動端位置Ｃから一方の揺動端位置Ｂに連続して操作することで、前記のようにフック部材３１と係止部材３２との係合が解除され、押付状態から直ちに開放することができる。従って、ハンドルを回転させることが困難な者であっても、押し引きハンドル５を揺動（押し引き）することで、通常閉鎖の扉３を開放させることや、通常閉鎖の扉３を扉枠２に押付状態とすることが可能となる。
【００１８】
尚、扉閉鎖装置３０を扉３の戸先上下部と扉枠２の上下枠２ｂ、２ｃとの間に設けた扉装置１について説明したが、戸先下部と下枠間に設けた扉閉鎖装置３０を扉３の戸先下部と扉枠２の竪枠２ａ下部との間に設けてもよい（図１３）。このとき、例えば、作動ロッド３９の下側の途中にかさ歯車対４５を設けて垂直軸線周りの回転を水平軸線周りの回転に変換して係止部材３２を回転するようにすることができる。この場合、フックケース４１の開口が水平方向に向くと共にフック部材３１が上下方向ではなく水平方向に突出するので、フック部材３１とフックケース４１との隙間から塵などが入りにくくなり防塵効果に優れる。
【００１９】
【発明の効果】
以上のように本願発明によれば、扉閉鎖装置を、扉枠に扉側に突出するように付勢されたフック部材と、そのフック部材と扉の通常閉鎖により係止する係止状態と係止したフック部材を介して扉を扉枠に押し付ける押し付け状態とする係止部材とから構成し、扉の戸先に設けた上下方向の作動ロッドの回動により係止部材を回動し、係止部材とフック部材の係止を解除すると共に、フック部材を介して扉を扉枠に押し付ける押し付け状態とするように、作動ロッドの上下部と扉閉鎖装置とを連繋したので、自動ラッチングと扉の扉枠への押付操作を連続して行える。また、フック部材を扉枠に設けたことで扉側の可動部が少なくなることと、作動ロッドが回動することにより、押付及び押付解除時の操作が小さな力で行える。また、扉枠側に設けられたフック部材は、扉枠の開口縁部より飛出さないようにすれば、外観が良くなりデザイン性に優れる。
【００２０】
また、前記係止部材のフック部材が係止する係止凹部は、フック部材と係止部材との係止を解除する解除カム面と、フック部材と係止部材との係止状態において、フック部材を係止部材の回転中心に向けて移動して扉を扉枠に押し付ける押付カム面とを備えているので、係止部材の回動により、自動ラッチングから連続して扉の扉枠への押し付け操作または開放操作、及び扉の押付状態から開放操作を行える。
【図面の簡単な説明】
【図１】本発明の扉装置の正面図である。
【図２】図１のＱ部の詳細図である。
【図３】図２のＩＩＩ―ＩＩＩ線断面図である。
【図４】押し引きハンドル（カム体）と軸部材との関係を示す図である。
【図５】図１のＶ−Ｖ線断面図である。
【図６】図５のＶＩ−ＶＩ線断面図である。
【図７】係止部材の概要を示す斜視図である。
【図８】扉を閉鎖回転させた状態を示す図である。
【図９】通常閉鎖状態から扉を開放させる状態を示す図である。
【図１０】図９のＸ−Ｘ線断面図である。
【図１１】通常閉鎖状態から扉を扉枠に押し付ける状態を示す図である。
【図１２】図１１のＸＩＩ−ＸＩＩ線断面図である。
【図１３】他の実施の形態である。
【図１４】従来の技術である。
【図１５】従来の技術である。
【符号の説明】
１　扉装置
２　扉枠
３　扉
４　操作手段
５　押し引きハンドル
３０　扉閉鎖装置
３１　フック部材
３２　係止部材
３２ａ　係止凹部
３２ｂ　解除カム面
３２ｃ　押付カム面
３４　ケース
３５　支持軸
３６　カム体
３９　作動ロッド
３９ａ　カム係合溝
４０　作動カム
【図１】
2004036293.tif 000003
【図２】
2004036293.tif 000004
【図３】
2004036293.tif 000005
【図４】
2004036293.tif 000006
【図５】
2004036293.tif 000007
【図６】
2004036293.tif 000008
【図７】
2004036293.tif 000009
【図８】
2004036293.tif 000010
【図９】
2004036293.tif 000011
【図１０】
2004036293.tif 000012
【図１１】
2004036293.tif 000013
【図１２】
2004036293.tif 000014
【図１３】
2004036293.tif 000015
【図１４】
2004036293.tif 000016
【図１５】
2004036293.tif 000017